(57)【要約】【課題】不使用時の収納性が良好となる合わせ鏡装置を提供すること。【解決手段】鉛直軸を中心とする鉛直軸支部３で開閉自在に軸支される一対の合わせ鏡１と、各合わせ鏡１に水平軸支部としての蝶番５で上下に折りたたみ展開自在に接合される各架台２と、各架台２相互を前記鉛直軸の軸心上で開閉自在に軸支する回転支持部４と、各架台２の前後でそれぞれ上下調節自在に軸支される前部脚１３と後部脚とから成る。このほか、後部脚を共通脚１２として前記鉛直軸心に配設したものや、前部脚１３を滑動自在に、かつ、鉛直軸回りに回転自在に軸支したものも提供される。【選択図】図１
2011000272.tif 000002
【特許請求の範囲】
【請求項１】
鉛直軸を回転軸として開閉自在に軸支される一対の合わせ鏡と、各合わせ鏡に水平軸を回転軸として上下に折りたたみ展開自在に接合される架台と、各架台相互を前記鉛直軸と同一軸心上で開閉自在に軸支する回転支持部と、各架台の前後でそれぞれ上下調節自在に軸支される前部脚と後部脚とから成る合わせ鏡装置。
【請求項２】
前記後部脚が、前記回転支持部の鉛直軸心と同一軸心である共通脚として両架台を軸支して成る請求項１記載の合わせ鏡装置。
【請求項３】
前部脚の下端が、滑動自在に案内される台座に鉛直軸心を中心として回転自在に接合されて成る請求項１又は２記載の合わせ鏡装置。
【発明の詳細な説明】
【技術分野】
【０００１】
本発明は既存の正面鏡と合わせて用いて頭部や全身の姿見として移動自在に使用され、不使用時にはコンパクトに折りたたまれて収納に便利な姿勢となる合わせ鏡装置に関する。
【背景技術】
【０００２】
本願出願人は、既存の正面鏡と合わせて、頭部や全身の姿見として移動自在に使用される合わせ鏡装置を、特開２００７−３２５７０４号公報（特許文献１）及び特願２００８−１０９８６６（特許文献２）で提案済みであるが、不使用時の収納性の点で未解決な課題を内在するものであった。
【先行技術文献】
【特許文献】
【０００３】
【特許文献１】特開２００７−３２５７０４号
【特許文献２】特願２００８−１０９８６６号
【発明の概要】
【発明が解決しようとする課題】
【０００４】
本発明は上記に鑑みて、不使用時の収納性が良好となる合わせ鏡装置の提供をその目的とする。
【課題を解決するための手段】
【０００５】
本発明の請求項１に記載した合わせ鏡装置は、鉛直軸を中心とする鉛直軸支部で開閉自在に軸支される一対の合わせ鏡と、各合わせ鏡に水平軸を中心とする水平軸支部で上下に折りたたみ展開自在に接合される架台と、各架台相互を前記鉛直軸と同一軸心上で開閉自在に軸支する回転支持部と、各架台の前後でそれぞれ上下調節自在に軸支される前後脚と後部脚とから成る。
請求項２に記載した発明は、請求項１に記載した合わせ鏡装置において、前記後部脚が、前記回転支持部の鉛直軸心と同一軸心である共通脚として両架台を軸支して成る。
請求項３に記載した発明は、請求項１又は２に記載した合わせ鏡装置において、前部脚の下端が、滑動自在に案内される台座に鉛直軸心を中心として回転自在に接合されて成る。
【発明の効果】
【０００６】
本発明の合わせ鏡装置によれば、一対の合わせ鏡とそれを支持する架台とがそれぞれ開閉自在に接合されるとともに、各合わせ鏡とそれを支持する各架台とが相互に折りたたみ展開自在に接合され、かつ、合わせ鏡相互又は架台相互の何れかが分解接合自在であるから、不使用時には背丈を低くしてコンパクトに折りたたまれ収納性が向上する。また、前部脚を滑動自在な台座に接合したものでは使用時の移動がスムーズとなって操作性が向上する。
【図面の簡単な説明】
【０００７】
【図１】本発明の合わせ鏡装置Ａの一対の合わせ鏡１と一対の架台２を閉じた状態の正面図。
【図２】一対の合わせ鏡１、１を120°の合わせ角度で開いた状態の部分平面図。
【図３】一対の架台２の一方に昇降軸１１を昇降自在に軸支した状態の図１におけるＡ−Ａ矢視断面図。
【図４】両架台２が昇降軸１１に軸支された状態の説明図で、（ａ）は図１のＢ−Ｂ線断面図、（ｂ）は図１のＣ−Ｃ線断面図。
【図５】支持ピン８の正面図。
【図６】昇降軸１１の説明図で、（ａ）はその正面図、（ｂ）は（ａ）の右側面図。
【図７】本発明の他の実施態様である合わせ鏡装置Ｂの一対の合わせ鏡１と一対の架台２とを閉じた状態の正面図。
【図８】昇降軸１４の分解斜視図。
【図９】本発明の合わせ鏡装置の平面視模式図。
【図１０】一対の架台２の一方に蝶番１６を介して接合した案内体１０に昇降軸１１を昇降自在に軸支した部分断面図。
【図１１】各架台２にそれぞれ蝶番１６を介して接合された軸受体６に昇降軸１１が軸支された状態の説明図で、（ａ）は手前側の架台２と軸受体６との接合説明図、（ｂ）は背面側の架台２と軸受体６との接合説明図。
【発明を実施するための形態】
【０００８】
本発明の合わせ鏡装置の形態は、図９に示すように、（ａ）の形態では一対の合わせ鏡１の鉛直軸支部３と、各合わせ鏡１に水平軸支部（蝶番５）で折りたたみ展開自在に接合される一対の架台２を開閉自在に軸支する回転支持部４とが同一鉛直軸心に配列され、各架台２の前方にそれぞれ前部脚１３が配設され、その後方にそれぞれ後部脚１６が配設されるものであり、（ｂ）の形態では、鉛直軸支部３と、回転支持部４と後部脚１６の鉛直軸心が同一鉛直軸心とされ、すなわち、後部脚１６が両架台２の回転支持部４の鉛直軸心と同一軸心の共通脚１２として成るものであり、（ｃ）の形態では（ａ）の形態において、前部脚１３の下端が滑動自在に案内される台座（支持板１３bとキャスター１３cとからなる）に鉛直軸心を中心として回転自在に接合されたものであり、（ｄ）の形態では（ｂ）の形態において、前部脚１３の下端が滑動自在に案内される台座（支持板１３bとキャスター１３cとからなる）に鉛直軸心を中心として回転自在に接合されたものである。
また、後部脚１６が共通脚１２として配設される場合は、共通脚１２は両架台２にそれぞれ配設される軸受体６に嵌着される昇降軸１１に上下調節自在に螺着されるものから、各架台２にそれぞれ接合される螺合部１５に上下調節自在に螺着されるものなどである。
さらに、合わせ鏡１と架台２との接合では、各合わせ鏡１に対して各架台２を折りたたみ展開自在に接合するものから、各架台２に対して各合わせ鏡１を折りたたみ展開自在に接合するなどである。
【実施例】
【０００９】
本発明の合わせ鏡装置Ａを実施例により説明すると、図１に示す重ねられた一対の合わせ鏡１、１と重ねられた一対の架台２、２とは、それぞれ鉛直軸を軸心とする外枠７の鉛直軸支部３と下段の枠体９の回転支持部４とで開閉自在に接合されるとともに、水平軸を軸心とする水平軸支部としての蝶番５で上下折りたたみ展開自在に接合される。
【００１０】
上記の一対の合わせ鏡１、１の鉛直軸支部３を説明すると、図２に示すように、左方（図１の手前側）の合わせ鏡１には取付け板６aと円筒体６bを一体とした軸受体６が取付け板６aによって外枠７の上下所要位置にビス止めされ、右方（図１の後方側）の合わせ鏡１には前記上下の軸受体６の下面にその上面を当接するように、前記と同様の構成からなる各軸受体６がその取付け板６aで外枠７にビス止めされる。木枠７aに嵌め込まれた合わせ鏡本体７bは裏蓋７cで木枠７aに抜け止めされて収納され、木枠７aは外枠７にビス止めされて収められる。上下一対の各円筒体６bには図５に示す支持ピン８が回転自在に嵌着され、各円筒体６bから垂下する支持ピン８の下端にはカラー８aが嵌着され、カラー８aの外周から支持ピン８にネジ込まれたセットスクリュー８bによって支持ピン８が抜け止めされて両合わせ鏡１、１は前記各軸受体６によって開閉自在に支持される。
【００１１】
一対の架台２、２は図３に示すように、一方（図１の手前側）の枠体９の一側の上部には横向きＴ形の案内体１０がビス止め（溶着でも可）され、案内体１０の突出片１０aには鉛直方向に所要ストロークの長孔１０bが開口されている。その案内体１０の下位には図４（ａ）に示すように、外方に向けて所要幅の脱却口６baを開口した円筒体６bと取付け板６aとからなる軸受体６が取付け板６aにおいて枠体９にビス止め（溶着でも可）される。その軸受体６の下位には図４（ｂ）に示すように、他方（図１の後方側）の枠体９に前記と同様の軸受体６（前記の軸受体６の天地を逆にしたもの）が同心状にビス止めされ、両軸受体６、６には図６に示す昇降軸１１の脱却二面幅部１１aの下方に設けた丸軸部１１bが遊嵌され、昇降軸１１の上部の二面幅部１１cはその一面を前記案内体１０の突出片１０aに添設され、突出片１０aに開口された長孔１０bにはレバー１１dが挿通され、レバー１１dが昇降軸１１の前記二面幅部１１cの上端部に横設されてセットスクリュー１１eで抜け止め固定される。そして、昇降軸１１の丸軸部１１bの下端から所要長に渡って形成された中空部１１fの下端には雌ネジが内設された螺合部１１gが溶着され、螺合部１１gの雌ネジには下端に支持板１２aを接合したネジ軸１２bが螺着され、共通脚１２（図１）として架台２の後方を支持する。その共通脚１２の前方には両架台２の前方で、枠体９と枠体９に接合された補強骨９aとに一対のナット９bが接合され、両ナット９bには回り止めナット１３aaで位置決めされるネジ軸１３aが螺着され、ネジ軸１３aの下端を鉛直軸を中心として回転自在に台座としての支持板１３bに接合し、支持板１３bに垂下した一対のキャスター１３cで移動案内して成る前部脚１３が配設されて成る。
【００１２】
したがって、各架台２を各合わせ鏡１の方向へ折りたたむには、一方の架台２の枠体９に設けた案内体１０の長孔１０bの上方で待機するレバー１１dを押し下げ、昇降軸１１の丸軸部１１bを両軸受体６の円筒体６bから降下させ、昇降軸１１の脱却二面幅部１１aを両軸受体６の各円筒体６bの脱却口６baの位相に合致させ、ネジ軸１２bを持ってレバー１１dを中心に脱却口６baの方向へ回転すると、昇降軸１１は脱却二面幅部１１aを両円筒体６bの脱却口６baから脱却させて両軸受体６、６はフリーとなり、それぞれ各架台２は蝶番５によって各合わせ鏡１の方向へ折りたたまれ、コンパクトな姿勢となって収納に都合のよい状態となる。
【００１３】
このようにして成る合わせ鏡装置Ａは、後部脚としての共通脚１２における昇降軸１１がその丸軸部１１bにおいて両架台２の各軸受体６に回転自在に案内されるから、両架台２は開閉自在に軸支される。その高さは後部ではネジ軸1２bと螺合部１１gの螺合によってその調節が図られ、前部では前部脚１３におけるネジ軸１３aとナット９bとの螺合状態によってその高さ調節がなされ、両合わせ鏡１は適宜な合わせ角度に支持ピン８を中心に開かれ、両架台２も両合わせ鏡１の開度に同調して開かれ、別途準備された正面鏡（図外）の前でその姿勢が保持されて使用に供される。
【００１４】
両合わせ鏡１と両架台２との折りたたみに関して他の実施態様合わせ鏡装置Ｂを実施例により説明すると、図７に示すように、両合わせ鏡１の各外枠７にはそれぞれ前記の各軸受体６が接合され、その下位で一方（手前側）の外枠７に前記した構成の案内体１０が接合され、両合わせ鏡１にそれぞれ水平軸を回転軸とする蝶番５で折りたたみ展開自在に接合される各架台２にはそれぞれ前記した円筒体６bが接合され、両円筒体６bは前記の支持ピン８で回転自在に接合される。
【００１５】
両合わせ鏡１の鉛直軸支部３としての円筒体６bには図８に示す昇降軸１４の丸軸部１４aが挿通され、丸軸部１４aの一端部の軸受部１４bにはレバー１４cの二股部１４caが止めピン１４cbによって倒伏起立自在に接合され、止めピン１４cbにはカラー１４ccが外嵌されて割ピン１４cdによって抜け止めが図られ、上部の丸軸部１４aに連続して配設される所要幅、所要長の脱却二面幅部１４dの下方には所要長さに渡って丸軸部１４aと同径の下丸軸部１４eが配設され、下丸軸部１４eは手前側の合わせ鏡１の外枠７に接合する前記と同様の構成の案内体１０に同心状にその外周を沿わせて案内されるとともに、案内体１０の長孔１０bに挿通されたピン１４fを下丸軸部１４eの下端部に嵌着して案内体１０の外面と下丸軸部１４eの外面間でカシメ止めする。
【００１６】
両架台２の各枠体９の下方にはそれぞれ雌ネジが螺設された螺合部１５が接合され、両螺合部１５には下端に支持板１２aを接合したネジ軸１２bが螺着されて支持板１２aの上下位置が調節され、後部脚としての共通脚１２が設けられ、前部脚１３は前記と同様に各架台２の枠体９と補強骨９aに接合された上下一対のナット９bに螺着され、回り止めナット１３aaで位置決めされるネジ軸１３aと、ネジ軸１３aの下端に鉛直軸を中心として回転自在に接合される支持板１３bと、支持板１３bの下面に軸支される一対のキャスター１３cとから成る。
【００１７】
上記構成による合わせ鏡装置Ｂによれば、一対の合わせ鏡１の両円筒体６bによる鉛直軸支部３と両架台２の枠体９に接合される軸受体６における回転支持部４が前記合わせ鏡装置Ａと同様に同一鉛直軸心であるから両合わせ鏡１と両架台２は開閉自在となるが、レバー１４cを持って昇降軸１４を持ち上げると脱却二面幅部１４dが両軸受体６の円筒体６bの脱却口６baに位置取りされるから、この位置でレバー１４cを手前に引くと昇降軸１４は脱却口６baからその脱却二面幅部１４dにおいて脱却し、各合わせ鏡１はそれぞれ蝶番５によって各架台２の側へ折りたたまれてコンパクトな姿勢となる。
組み立てる場合は前記した要領の逆で、各架台２に対して各合わせ鏡１を立ち上げ、昇降軸１４を持ち上げた状態で両軸受体６の円筒体６bに開口された脱却口６baを整列した上で、両脱却口６baから昇降軸１４の脱却二面幅部１４dを押し込んで降下させれば、両円筒体６bには昇降軸１４の丸軸部１４aが嵌着されるから両合わせ鏡１は分離することなく、鉛直軸支部３で開閉自在に軸支される。使用時は前記合わせ鏡装置Ａと同様に、一対の合わせ鏡１が適宜な合わせ角度に設定されて正面鏡と共に使用される。
【００１８】
前記合わせ鏡装置Ａにおいて、一対の架台２、２の開閉構造に関して、昇降軸１１をそれぞれ軸受体６から脱却後、合わせ鏡１に対してきっちり架台２を折りたたむ他の実施態様について説明すると、図１０に示すように、架台２の手前側の枠体９と横向きＴ形の案内体１０との関係は、枠体９の正面側にその一片（水平片）１６aを溶着された蝶番１６の他片（垂直片）１６bに案内体１０が溶着される。同様に各軸受体６と各架台２の枠体９との関係も図１１に示すように、蝶番１６を介して各軸受体６が枠体９に接合される。すなわち、各軸受体６は枠体９の正面側（背面側）にその一片（水平片）１６aを溶着された蝶番１６の他片（垂直片）１６bが円筒体６bと一体の取付け板６aに溶着される。
【００１９】
上記開閉構造では、昇降軸１１が各軸受体６の脱却口６baから脱却されると、案内体１０は図１０の仮想線で示すように、合わせ鏡１の軸受体６に干渉しない位置に退避できるものであり、下部の各軸受体６においても、図１１（ａ）では蝶番１６を介して軸受体６は下方（手前側）へ退避され、図１１（ｂ）では蝶番１６を介して軸受体６は上方（背面側）へ退避されるから、合わせ鏡１と架台２を接合する蝶番５により合わせ鏡１に対して架台２を折りたたむときは、架台２配設される各軸受体６相互が干渉することなく、架台２の案内体（昇降軸１１を含む）１０も各軸受体６も蝶番１６により元の姿勢に戻せば、合わせ鏡１の軸受体６に干渉することなく、きっちり二つ折りできる。合わせ鏡装置Ｂにおける合わせ鏡１の外枠７と案内体１０及び軸受体６の関係も、前記と同様に蝶番１６を介して接合される。このように、蝶番１６を介する軸受体６の架台２や合わせ鏡１への接合では、蝶番５における回転半径に伴う軸受体６相互の上下間隔を考慮する必要がなくなる。
【産業上の利用可能性】
【００２０】
本発明は、一対の合わせ鏡と各合わせ鏡を支持する架台とが上下方向に折りたたみ展開自在に接合されるから、不使用時の収納性がコンパクトとなり家庭での使用にも適する。前部脚を滑動自在な台座で支持したものでは操作性も良好となって衣装の着付けや試着などの営業上にも活用される。
【符号の説明】
【００２１】
１：合わせ鏡
２：架台
３：鉛直軸支部
４：回転支持部
５：蝶番
６：軸受体
６a：取付け板
６b：円筒体
６ba：脱却口
７：外枠
７a：木枠
７b：合わせ鏡本体
７c：裏蓋
８：支持ピン
８a：カラー
８b：セットスクリュー
９：枠体
９a：補強骨
９b：ナット
１０：案内体
１０a：突出片
１０b：長孔
１１：昇降軸
１１a：脱却二面幅部
１１b：丸軸部
１１c：二面幅部
１１d：レバー
１１e：セットスクリュー
１１f：中空部
１１g：螺合部
１２：共通脚
１２a：支持板
１２b：ネジ軸
１３：前部脚
１３a：ネジ軸
１３aa：回り止めナット
１３b：支持板
１３c：キャスター
１４：昇降軸
１４a：丸軸部
１４b：軸受部
１４c：レバー
１４ca：二股部
１４cb：止めピン
１４cc：カラー
１４cd：割ピン
１４d：脱却二面幅部
１４e：下丸軸部
１４f：ピン
１５：螺合部
１６：蝶番
１６a：一片
１６b：他片
Ａ、Ｂ：合わせ鏡装置
【図１】
2011000272.tif 000003
【図２】
2011000272.tif 000004
【図３】
2011000272.tif 000005
【図４】
2011000272.tif 000006
【図５】
2011000272.tif 000007
【図６】
2011000272.tif 000008
【図７】
2011000272.tif 000009
【図８】
2011000272.tif 000010
【図９】
2011000272.tif 000011
【図１０】
2011000272.tif 000012
【図１１】
2011000272.tif 000013